(57)【特許請求の範囲】
【請求項１】
人工関節置換手術対象の患者の股関節臼蓋形状に合致した外周球面を有し、上記臼蓋に対する３次元術前計画で決定した穿孔方向の貫通孔、及び下記カップリムモデルを当接するドック部をそれぞれ形成した、３次元造型により製作した略半球状の臼蓋カップモデルと、
患者の腸骨に固定するための複数本のガイドピンと、
上記略半球状の臼蓋カップモデルのドック部に組合せ可能な、上記患者の股関節臼蓋リム部形状に合致した下面部を有し、上記複数本のガイドピンを上記臼蓋カップモデルの貫通孔の軸方向と平行になるように装着させる複数の貫通孔を形成した、上記ドック部と当接する円弧状の下端縁を設置レベルとして誘導する、３次元造型により製作したカップリムモデルと、
上記カップリムモデルの複数の貫通孔に装着される上記複数本のガイドピンを保持するガイドピン保持ガイド部、及び上記臼蓋カップモデルの貫通孔に先端が挿入され、ドリルを貫装するシャフト部を備え、上記臼蓋カップモデル及びカップリムモデルに対して装着するパラレルガイドと、
上記患者腸骨に取付けられた複数のガイドピンに沿って移動し、弾性体に付勢されたガイド突起部を半球状リーマの先端中央より突出させ、リーミングに伴って縮減する上記ガイド突起部の突出長を示すインジケータを備えた臼蓋リーマと、
上記患者腸骨に取付けられた複数のガイドピンに沿って移動し、上記臼蓋リーマによって形成された半球状孔部に、上記臼蓋に対する３次元術前計画で決定した人工股関節の一部である臼蓋カップシェルを打ち込むインパクタと
を有したことを特徴とする人工股関節置換手術支援システム。
【請求項２】
上記臼蓋カップモデルは、上記患者の股関節臼蓋リム部の形状に合致した少なくとも部分的なリム当接部を形成したことを特徴とする請求項１記載の人工股関節置換手術支援システム。
【請求項３】
上記臼蓋カップモデルは、貫通孔を挟んで貫通孔と平行な面に沿って両側部を切り欠いた形状とすることを特徴とする請求項１記載の人工股関節置換手術支援システム。
【請求項４】
上記カップリムモデルは、上記臼蓋に対する３次元術前計画で決定した上記複数のガイドピン固定位置に対応して、上記臼蓋カップモデルとの組合せ状態で該カップモデル裁断面の径方向の長さが決定され、
上記パラレルガイドのガイドピン保持ガイドは、上記カップリムモデルの長さに合わせて、上記シャフト部の軸と直交する方向沿った位置を調整可能とする
ことを特徴とする請求項１記載の人工股関節置換手術支援システム。
【請求項５】
上記カップリムモデルの円弧状の下端縁は、上記臼蓋リーマのリーミングレベルと方向、及び上記インパクタの打ち込みレベルと方向を示すことを特徴とする請求項１記載の人工股関節置換手術支援システム。
【発明の詳細な説明】
【技術分野】
【０００１】
本発明は、特に骨盤臼蓋側の人工股関節コンポーネントの設置に好適な人工股関節置換手術支援システムに関する。
【背景技術】
【０００２】
従来、医療用ナビゲーションシステムと称される医療機器を用い、３次元空閑地腕の手術中の患者位置と手術器具の位置関係を複数のＣＣＤカメラを搭載したカメラユニットにより赤外線情報等で認識して表示することで、術前の計画に基づいて人工関節設置のための手術を実行する技術が確立されている。
【０００３】
しかしながら、医療用ナビゲーションシステムはそれ自体が高額であり、且つ手術室レベルで各機器を設置しなければならないなど、大規模なシステム展開となるため、導入が可能な施設が限定される。
【０００４】
上記医療用ナビゲーションシステムとは別に、人工関節設置のために患者の関節部形状に合致した形状のガイド部材を作成し、そのガイド部材に備えられるガイドピン保持部に応じて１本のガイドピンを患者の関節部近傍に設置し、設置したガイドピンを指標として人工関節設置のための施術を実行する技術が考えられている。（非特許文献１）
【先行技術文献】
【非特許文献】
【０００５】
【非特許文献１】THE INTERNATIONAL JOURNAL OF MEDICAL ROBOTICS AND COMPUTER ASSISTED SURGERY, Int J Med Robotics Comput Assist Surg 2009;5:164-169.Tailor-made surgical guide based on rapid prototyping technique for cup insertion in total hip arthroplasty, Takehito Hananouchi, et al.Published online 26 February 2009 in Wiley InterScience (www.interscience.wiley.com). DOI: 10.1002/rcs.243
【発明の概要】
【発明が解決しようとする課題】
【０００６】
上記非特許文献に記載された技術は、ガイド部材により設置した１本のガイドピンを指標とした上で人工関節の設置、具体的には股関節の骨盤側臼蓋に対するリーミング等を行なうものである。しかしながら、上記ガイドピンはあくまでも設置の位置と方向とを施術者（執刀医師）に対して示す指標であり、ガイドピン設置後はガイド部材を取り外した上でリーミング等が行なわれる。そのため、３次元空間内において人工関節設置のために施術者がリーミング等の動作を行なう正確な位置及び方向が、上記ガイドピンを基準とした数値で与えられるようなものではなく、施術者の手術の習熟度に左右される。
【０００７】
本発明は上記のような実情に鑑みてなされたもので、その目的とするところは、人工股関節置換手術に関し、術前に患者の個人差を適正に反映して、骨盤臼蓋におけるリーミング動作等の位置、方向、及び掘削量等を正確に決定し、決定した内容を術中に正確に再現して手術操作の管理が実施可能な人工股関節置換手術支援システムを提供することにある。
【課題を解決するための手段】
【０００８】
本発明の一態様は、人工関節置換手術対象の患者の股関節臼蓋形状に合致した外周球面を有し、上記臼蓋に対する３次元術前計画で決定した穿孔方向の貫通孔、及び下記カップリムモデルを当接するドック部をそれぞれ形成した、３次元造型により製作した略半球状の臼蓋カップモデルと、患者の腸骨に固定するための複数本のガイドピンと、上記略半球状の臼蓋カップモデルのドック部に組合せ可能な、上記患者の股関節臼蓋リム部形状に合致した下面部を有し、上記複数本のガイドピンを上記臼蓋カップモデルの貫通孔の軸方向と平行になるように装着させる複数の貫通孔を形成した、上記ドック部と当接する円弧状の下端縁を設置レベルとして誘導する、３次元造型により製作したカップリムモデルと、上記カップリムモデルの複数の貫通孔に装着される上記複数本のガイドピンを保持するガイドピン保持ガイド部、及び上記臼蓋カップモデルの貫通孔に先端が挿入され、ドリルを貫装するシャフト部を備え、上記臼蓋カップモデル及びカップリムモデルに対して装着するパラレルガイドと、上記患者腸骨に取付けられた複数のガイドピンに沿って移動し、弾性体に付勢されたガイド突起部を半球状リーマの先端中央より突出させ、リーミングに伴って縮減する上記ガイド突起部の突出長を示すインジケータを備えた臼蓋リーマと、上記患者腸骨に取付けられた複数のガイドピンに沿って移動し、上記臼蓋リーマによって形成された半球状孔部に、上記臼蓋に対する３次元術前計画で決定した人工股関節の一部である臼蓋カップシェルを打ち込むインパクタとを有したことを特徴とする。
【発明の効果】
【０００９】
本発明によれば、人工股関節置換手術に関し、術前に患者の個人差を適正に反映して、骨盤臼蓋におけるリーミング動作等の位置、方向、及び掘削量等を正確に決定し、決定した内容を術中に正確に再現して手術操作の管理が実施可能となる。
【図面の簡単な説明】
【００１０】
【図１】本発明の一実施形態に係る臼蓋カップモデルの基本的な構成を示す図で、図１（Ａ）が上面図、図１（Ｂ）が同図（Ａ）のＩ−Ｉ線に沿った断面図。
【図２】本発明の一実施形態に係る臼蓋カップモデルとカップリムモデルを組み合わせた構成を示す斜視図。
【図３】本発明の一実施形態に係る臼蓋カップモデルとカップリムモデルを骨モデルに設置した状態を示す斜視図。
【図４】本発明の一実施形態に係る臼蓋カップモデルとカップリムモデルを骨モデルに設置した状態を示す斜視図。
【図５】本発明の一実施形態に係る臼蓋カップモデル及びカップリムモデルを組み付けたパラレルガイドの外観構成を示す斜視図。
【図６】本発明の一実施形態に係るドリル穿孔時の、臼蓋カップモデル及びカップリムモデルを組み付けたパラレルガイドの状態を示す斜視図。
【図７】本発明の一実施形態に係る臼蓋リーマの構成を説明する斜視図。
【図８】本発明の一実施形態に係る臼蓋リーマ及びインパクタの構成を説明する斜視図。
【発明を実施するための形態】
【００１１】
以下本発明を、股関節骨盤側の臼蓋に設置する人工関節に適用した人工股関節置換手術支援システムの一実施形態について図面を参照して説明する。  
図１は、手術時に患者の臼蓋に一時的に設置する臼蓋カップモデル１０の基本構成を示す。図１（Ａ）は略半球状の臼蓋カップモデル１０の裁断面である上面構成を、図１（Ｂ）は図１（Ａ）のＩ−Ｉ線に沿った臼蓋カップモデル１０の断面構成を示す。
【００１２】
同図に示すように臼蓋カップモデル１０は、略半球状の中心軸位置が２段構成の貫通孔となっている。上記裁断面側のより大径の貫通孔部１０Ａは、所定の径及び深さを有し、、例えば直径８．１［ｍｍ］、深さ１０．２［ｍｍ］であるものとする。また、外周曲面側のより小径の貫通孔部１０Ｂは、径のみが定まっており、例えば５．０［ｍｍ］であるものとする。
【００１３】
臼蓋カップモデル１０は、図面状では外周曲面が真球のそれのような滑らかな曲面として表しているが、実際の製品では、術前計画の段階で患者個々の臼蓋形状に合致した大きさ及び凹凸形状を有するものとする。
【００１４】
また、臼蓋カップモデル１０の裁断面上には、後述するカップリムモデル２０を当接して組み合わせるための略扇形状のドック部１０Ｃが裁断面上に突出するように一体にして形成される。このドック部１０Ｃは、中心角、幅、及び突出嚠喨（厚さ）が統一されており、例えば中心角が９０°、幅が２８［ｍｍ］、突出量が１０［ｍｍ］であるものとする。
【００１５】
さらに、図示する如く臼蓋カップモデル１０の両側部は、貫通孔部１０Ａ，１０Ｂを挟んで該貫通孔部１０Ａ，１０Ｂの軸方向と平行な円弧状の曲面に沿って両側部を切り欠いた形状とする。
【００１６】
そして、上記切り欠いた部分を除いて、上記臼蓋カップモデル１０の裁断面端部には、幅と厚さが一定、例えば共に２［ｍｍ］のフランジ状のリム部１０Ｄ，１０Ｅを形成する。このリム部１０Ｄ，１０Ｅも、患者個々の臼蓋形状に合致して、必要により部分的に波欠如した構成となり得る。
【００１７】
上記臼蓋カップモデル１０は、上述した如く患者の臼蓋に合致した形状及び大きさを有するものとして、術前にラピッドプロトタイピング（Ｒａｐｉｄ  Ｐｒｏｔｏｔｙｐｉｎｇ（ＲＰ）：３次元造型）技術により３Ｄプリンタを用いて、例えばアクリル系光硬化樹脂、ＡＢＳ樹脂、スターチ、または石膏等で製作される。
【００１８】
なお、患者患部のＸ線ＣＴ画像やＭＲＩ画像等、複数の２次元画像データから関節部の３次元画像データを構築し、その上で人工関節のコンポーネントのサイズ、及び設置するために最適な施術の位置や方向等を決定する技術自体については、例えば特開２００９−０８２４４４号公報や特開２００９−１９５４９０号公報をはじめ、コンピュータ支援整形外科では周知の技術であるものとして、詳細な説明は省略する。
【００１９】
本発明でも、上記臼蓋カップモデル１０は、患者の臼蓋部分の３次元画像データに対して人工関節のコンポーネントである臼蓋カップのサイズ、及び当該臼蓋カップの軸方向を決定した上で、中心軸である貫通孔部１０Ａ，１０Ｂの方向及び位置と、当該軸方向に垂直な裁断面とを決定する。
【００２０】
この臼蓋カップモデル１０と組み合わせる治具の１つとして、カップリムモデル２０を用いる。  
図２は、臼蓋カップモデル１０とカップリムモデル２０とを組み合わせて示す、部分的に透過状態とした斜視図である。図示する如く臼蓋カップモデル１０は、上記臼蓋カップモデル１０のドック部１０Ｃの突出量、例えば１０［ｍｍ］と同じ厚さの板状構造を有し、上記リム部１０Ｄ上面及びドック部１０Ｃの円弧状の外周面に当接された状態で臼蓋カップモデル１０と組み合わされる。
【００２１】
カップリムモデル２０には、一対のガイドピン用貫通孔２０Ａ，２０Ｂが板面と垂直な軸方向で形成される他、上記ガイドピン用貫通孔２０Ａ，２０Ｂの略中央に把持用貫通孔２０Ｃが形成され、さらにガイドピン用貫通孔２０Ａ，２０Ｂの中点を挟んで上記ドック部１０Ｃとは反対側に仮止め用貫通孔２０Ｄが形成される。
【００２２】
ガイドピン用貫通孔２０Ａ，２０Ｂ、及び把持用貫通孔２０Ｃは、いずれも板面と垂直な軸方向で形成されるため、各貫通孔の軸はカップリムモデル２０を臼蓋カップモデル１０に組み合わせた状態では臼蓋カップモデル１０の貫通孔部１０Ａ，１０Ｂと平行となるように設定される。
【００２３】
一方、仮止め用貫通孔２０Ｄは、板面と垂直な方向に対して意図して斜めになる軸方向で形成される。
【００２４】
カップリムモデル２０の図示する下面側、上記リム部１０Ｄと当接される近傍部分は必要により患者個々の臼蓋周囲のリム（周状に盛り上がった骨）形状に合致した形状に形成される。
【００２５】
上記ガイドピン用貫通孔２０Ａ，２０Ｂの位置は、施術者である医師が、術前に患者の臼蓋を含む骨盤の３次元画像データと臼蓋カップモデル１０及びカップリムモデル２０の３次元形状データとによるマッチングを行ない、固定に適した腸骨位置を決定することで決定される。
【００２６】
したがって、カップリムモデル２０の、臼蓋カップモデル１０の裁断面の径方向に沿った長さは、患者個々の臼蓋部付近の骨形状と施術者の意志によって決定される。
【００２７】
このように、このカップリムモデル２０も上記臼蓋カップモデル１０と同様に、術前にラピッドプロトタイピング（３次元造型）技術により３Ｄプリンタを用いて、例えばアクリル系光硬化樹脂、ＡＢＳ樹脂、スターチ、または石膏等で製作される。
【００２８】
なお、この図２では、臼蓋カップモデル１０の貫通孔部１０Ａに対し、ドック部１０Ｃを形成した方向とは１８０°反対の方向を中心として、図示するように回転防止用の矩形状の溝１０Ｆを形成している。この溝１０Ｆは、後述するパラレルガイドのシャフト部先端形状に合致し、該シャフト部先端をこの貫通孔部１０Ａ及び溝１０Ｆに挿入した場合に、臼蓋カップモデル１０に対してパラレルガイドの角度が回転するのを防止する。
【００２９】
図３及び図４は、上記臼蓋カップモデル１０及びカップリムモデル２０を、該当患者の左寛骨臼蓋部分の骨モデルＰＶ１１と共に製作した例を示す。（これらの図は、それぞれ石膏で製作したモデルの写真を図面化したものである）
これらの図に示すように、骨モデルＰＶ１１の臼蓋部分には、全周ではないが、各図で左下側のみが欠けた逆Ｃ字状に盛り上がったリム部ＲＭ１１が形成されている。ここでは、臼蓋カップモデル１０のリム部１０Ｅの一部が、上記骨側のリム部ＲＭ１１と干渉するためにその一部（図の左側）のみを形成するものとしている。
【００３０】
加えて、カップリムモデル２０の下面側で骨モデルＰＶ１１と接する部分が、上述したように骨モデルＰＶ１１のリム部ＲＭ１１の形状に合致した形状を有している。
【００３１】
これらの点も加味して、臼蓋カップモデル１０及びカップリムモデル２０を組み合わせたモデルを、骨モデルＰＶ１１の臼蓋部分に確実に設置することが可能となる。
【００３２】
このように、手術に先立って臼蓋カップモデル１０及びカップリムモデル２０のみならず、患者の骨モデルＰＶ１１も合わせて製作し、臼蓋カップモデル１０及びカップリムモデル２０を設置することで、臼蓋カップモデル１０の貫通孔部１０Ａ，１０Ｂにより、人工関節のコンポーネント（臼蓋カップ）を設置するためのリーミング工程に先立つドリリング（穿孔）工程の誘導を確実に実施可能となることが術前に検証できる。
【００３３】
図５は、上記臼蓋カップモデル１０及びカップリムモデル２０を組み付けたパラレルガイド３０の構成を示す斜視図である。パラレルガイド３０は、シャフト部３１を中心に、下端側に取り付けたガイドピン保持部３２と、上端側に取り付けたグリップ部３３を有する。
【００３４】
シャフト部３１は、使用するドリルの外径に合わせた内径を有するパイプシャフトを主構成要素とする。シャフト部３１の下端側、ガイドピン保持部３２より突出した先端部外面には、臼蓋カップモデル１０の上記溝１０Ｆに合致した矩形形状の回転止め３１Ａが形成される。このガイドピン保持部３２より先に突出した、回転止め３１Ａを形成した部分の軸長は、上記臼蓋カップモデル１０のドック部１０Ｃ及びカップリムモデル２０の厚さと、上記臼蓋カップモデル１０の貫通孔部１０Ａの深さとを合わせた数値となる。
【００３５】
ガイドピン保持部３２は、上記回転止め３１Ａ及びシャフト部３１に固定された固定部３２Ａと、この固定部３２Ａに沿って、シャフト部３１の軸方向と直交する方向に自在にスライドするスライド部３２Ｂとを有する。
【００３６】
スライド部３２Ｂは、後述する２本のガイドピン４１，４２を上記カップリムモデル２０のガイドピン用貫通孔２０Ａ，２０Ｂに貫通させた状態で保持するためのピンホルダ部３２Ｃ，３２Ｄを有する。
【００３７】
すなわち、臼蓋カップモデル１０の径方向の大きさ、及び臼蓋カップモデル１０と組み合わされるカップリムモデル２０の長さに応じて固定部３２Ａに対するスライド部３２Ｂの位置を調整することで、ピンホルダ部３２Ｃ，３２Ｄとカップリムモデル２０のガイドピン用貫通孔２０Ａ，２０Ｂの軸位置を一致させることにより、ガイドピン４１，４２を取付けることが可能となる。
【００３８】
ガイドピン保持部３２の上端側には、後述するドリルをシャフト部３１内に挿入した状態で保持するためのドリルホルダ部３１Ｂを設ける。このドリルホルダ部３１Ｂを操作し、臼蓋カップモデル１０及びカップリムモデル２０を組み付けたパラレルガイド３０のシャフト部３１にドリルを挿入させ、該ドリルの先端が臼蓋カップモデル１０の貫通孔部１０Ｂ側の先端面と一致した状態でドリルホルダ部３１Ｂを締め付けてドリルの位置を一時的に保持することにより、該ドリルの穿孔開始位置を保持できる。
【００３９】
グリップ部３３は、シャフト部３１に取付けられ、患者骨盤の臼蓋部への臼蓋カップモデル１０、カップリムモデル２０等の取付け、ドリル穿孔時のパラレルガイド３０の制振等のハンドリングで把持する部分である。
【００４０】
次に、図６によりドリル穿孔時の、臼蓋カップモデル１０及びカップリムモデル２０を組み付けたパラレルガイド３０の状態を示す。
【００４１】
図６においては、上記図５で示した状態のパラレルガイド３０を、患者の骨盤臼蓋部に設置した状態を示す。その際には、予めガイドピン保持部３２から下方に突出するガイドピン４１，４２の長さを、３次元術前計画で定めておいた患者の骨盤腸骨の表面までの長さに調節した上でピンホルダ部３２Ｃ，３２Ｄにより固定しておく。
【００４２】
次いで、臼蓋カップモデル１０を患者の骨盤臼蓋に押し当てて両者の形状が合致する位置に調整する。その調整後、カップリムモデル２０の仮止め用貫通孔２０Ｄに、例えば３．２［ｍｍ］径の固定ピン４３を挿入し、上記ガイドピン４１，４２及び臼蓋カップモデル１０の貫通孔部１０Ａ，１０Ｂの各軸方向に対して斜めとなる軸方向で患者腸骨に打ち込むことで、臼蓋カップモデル１０及びカップリムモデル２０を組み付けたパラレルガイド３０を仮止めする。
【００４３】
さらに、すでにパラレルガイド３０のガイドピン保持部３２のピンホルダ部３２Ｃ，３２Ｄとカップリムモデル２０のガイドピン用貫通孔２０Ａ，２０Ｂに装着されている２本のガイドピン４１，４２を、順次ピンホルダ部３２Ｃ，３２Ｄでの固定を解除した上で患者の腸骨に打ち込んで固定する。
【００４４】
その状態で、図６に示す自動ストッパ付きのドリル４６の先端をドリルホルダ部３１Ｂより挿入し、当該ドリル４６の先端が臼蓋カップモデル１０の貫通孔部１０Ｂの先端側、患者臼蓋内の表面に接する位置となるように調整して、ドリルホルダ部３１Ｂで固定する。ここで合わせて、当該ドリルの自動ストッパを、術前計画で決定した人工関節コンポーネントである臼蓋カップのサイズ（深さ）に合わせて調整しておく。
【００４５】
その後、ドリルホルダ部３１Ｂでの固定を解除し、パラレルガイド３０のグリップ部３３を強固にホールドしながら、ドリル４６により患者の骨盤臼蓋底中央に、予定されるカップサイズに応じた深さまで穿孔、掘削してパイロットホールを形成する。
【００４６】
ドリル４６による穿孔が終了し、患者骨盤（腸骨）にガイドピン４１，４２、及びピン４３により固定されたカップリムモデル２０のみを残して、臼蓋カップモデル１０とパラレルガイド３０、及びドリル４６を骨盤臼蓋から除去する。
【００４７】
次に図７によりリーミング工程で使用する臼蓋リーマ５０の構成を説明する。  
臼蓋リーマ５０は、多段構成の円柱状のリーマボディ５１の図中では下端側に位置する先端にリーマヘッド５２を交換自在に設ける。
【００４８】
このリーマヘッド５２は、臼蓋リーマ５０の軸方向と垂直な面に沿って回転するべく、半球状の外周曲面に掘削のための凹凸が形成されており、リーマ工程の当初に、例えば最小半径４０［ｍｍ］のものを用い、その後、徐々に同一形状（半球状）で半径の大きいものに順次交換しながらリーミング工程を継続することにより、術前計画で決定した大きさまで骨盤臼蓋部分を半球状に掘削する。
【００４９】
いずれのサイズのリーマヘッド５２を用いる場合も、リーマヘッド５２の先端中央には突起アンカー部５３が突出形成される。  
この突起アンカー部５３は、リーマボディ５１内部に設けられた、例えばコイルばねによる弾性体に付勢されてリーマヘッド５２の先端から突出するもので、リーミング工程において臼蓋底部に当接され、押圧されることで縮減する。
【００５０】
このリーマヘッド５２先端における突起アンカー部５３の突出／縮減長が、リーマボディ５１を挟んで反対側の上端側に設けられたインジケータ５４で表示される。
【００５１】
さらにリーマボディ５１には、ガイドピンリファレンススコープ５５及びグリップ部５６が装着される。
【００５２】
ガイドピンリファレンススコープ５５は、コ字状の金属片で構成され、平行な一対の２辺５５Ａ，５５Ｂをリーマボディ５１に着脱自在に挟み込むことで、該２辺５５Ａ，５５Ｂに挟まれた残る１辺５５Ｃの位置とリーマボディ５１との距離を調整可能にしている。
【００５３】
１辺５５Ｃの上記２辺５５Ａ，５５Ｂを設けていない側の該側面には、上記ガイドピン４１，４２の間隔に合致したガイド溝が形成されている。
【００５４】
すなわち、ガイドピン４１，４２の軸方向と垂直となる面上における、患者骨盤の臼蓋底部にドリリングによる穿孔したパイロットホールとガイドピン４１，４２との距離に合わせて、ガイドピンリファレンススコープ５５をリーマボディ５１に挟み込んで固定し、臼蓋リーマ５０の突起アンカー部５３を上記パイロットホールに挿入した状態でガイドピンリファレンススコープ５５のガイド溝をガイドピン４１，４２に当接させることにより、臼蓋リーマ５０の軸方向とガイドピン４１，４２の各軸方向とが正確に平行に位置することとなる。
【００５５】
したがってリーミング工程の当初に、最小径のリーマヘッド５２を臼蓋リーマ５０に装着してリーミングを実施する過程においては、施術者がグリップ部５６を把持し、ガイドピンリファレンススコープ５５の１辺５５Ｃがガイドピン４１，４２に沿って移動するように臼蓋リーマ５０を下方に押しつけることにより、上記パイロットホールに突起アンカー部５３が挿入された状態で順次リーミングが実施される。
【００５６】
この場合、リーマヘッド５２の先端から突出している突起アンカー部５３の突出長がそのまま機械的にインジケータ５４で表示される。そのため、突起アンカー部５３の突出長が「０（ゼロ）」になった状態、すなわち、パイロットホール底部までのリーミングが完了した状態で、当該リーマヘッド５２を用いたリーミングの完了タイミングを判断できる。
【００５７】
図８（Ａ）は、こうしたリーミング工程中で使用する臼蓋リーマ５０の状態を、骨モデルＰＶ１２、カップリムモデル２０、ガイドピン４１，４２と共に示すものである。同図（Ａ）では、特にインジケータ５４部分を拡大して示す。
【００５８】
インジケータ５４では、リーマボディ５１の上端側に設けられた２箇所のくびれ部分５４Ａ，５４Ｂ部間に軸方向に沿って形成された窓５４Ｃ内を、スライダ５４Ｄが移動する。
【００５９】
ここでは、くびれ部分５４Ａ，５４Ｂの幅とスライダ５４Ｄの中央に設けたラインの幅とを一致させているため、リーマヘッド５２先端の突起アンカー部５３の突出長を、視覚的にきわめて正確にインジケータ５４で再現して表示できる。
【００６０】
リーマヘッド５２をより大きいサイズのものに交換して上記と同様にリーミングを行なう過程においても、リーマヘッド５２がその直前に掘削した臼蓋底部に達するまでは、突起アンカー部５３の突出長に応じたインジケータ５４での表示が同様に有効となる。
【００６１】
さらに、リムモデル２０の円弧状の面の下縁端を臼蓋カップサイズと一致させた構造のため、リーミングを行なう際の方向と深さ、及びサイズの目安となる。
【００６２】
しかして、３次元術前計画で決定した人工関節コンポーネントである臼蓋カップのサイズに適応したサイズのリーマヘッド５２でのリーミングを完了した時点で、リーミング工程を終了する。
【００６３】
リーミング工程の終了に伴って、臼蓋リーマ５０を骨盤臼蓋から除去する。
【００６４】
図８（Ｂ）は、リーミング工程に続くカップ打ち込み工程で使用するインパクタ６０の外観構成を、骨モデルＰＶ１２、カップリムモデル２０、ガイドピン４１，４２と共に示すものである。
【００６５】
インパクタ６０は、多段構成の円柱状のインパクタボディ６１の図中では下端側に位置する先端に、打ち込み対象の臼蓋カップシェル７１を取付ける。
【００６６】
また、このインパクタボディ６１には、ガイドピンリファレンススコープ６２及びグリップ部６３が装着される。
【００６７】
ガイドピンリファレンススコープ６２は、上記ガイドピンリファレンススコープ５５と同様の構成であり、その説明は省略する。
【００６８】
すなわち、上記インパクタ６０の取付に関する主要部は、図示するように、上記臼蓋リーマ５０と多くの部品を共有するもので、これら部品を共有化することで、インパクタ６０に対するガイドピンリファレンススコープ６２（５５）の位置調整等の手間を省略できる。
【００６９】
カップ打ち込み工程の当初に、臼蓋カップシェル７１を臼蓋位置に設置した上でインパクタ６０を設置する。このとき、施術者がグリップ部６３を把持し、ガイドピンリファレンススコープ６２がガイドピン４１，４２に沿って移動するようにインパクタ６０を下方に押しつけることにより、臼蓋カップシェル７１を正しい方向から打ち込むことができる。
【００７０】
上記臼蓋カップシェル７１は、３次元術前計画で決定したサイズのものが用いられる。
【００７１】
ここで臼蓋カップシェル７１は、人工関節コンポーネントである臼蓋カップの外殻を構成するもので、ここでは図示しない外面部に形成された多数のスパイク部を、上記インパクタ６０による打ち込みにより骨盤臼蓋部に上記臼蓋リーマ５０で形成した半球状の孔部に食い込ませることで、固定化される。
【００７２】
この打ち込まれた臼蓋カップシェル７１に対して、図示しない樹脂製のライナーを装着することで、ツーピース構造を採る臼蓋側の人工関節コンポーネントの設置が完了する。
【００７３】
なお、上記インパクタ６０による打ち込みに際しては、リムモデル２０の下端縁と臼蓋カップシェル７１の外周が一致するレベルまで打ち込むことで、臼蓋カップシェル７１の方向と深さのレベルを確認できる。
【００７４】
以上詳述した如く本実施形態によれば、人工股関節置換手術に関し、術前に患者の個人差を適正に反映して、骨盤臼蓋におけるリーミング動作等の位置、方向、及び掘削量等を正確に決定し、決定した内容を術中に正確に再現して手術操作の管理が実施することが可能となる。
【００７５】
なお上記実施形態では、２本の平行なガイドピン４１，４２を用いて誘導を行なう場合について説明したが、本発明はガイドピンの本数を２本に限定するものではなく、３本維持用用いるものとしても良い。
【００７６】
また上記実施形態では、臼蓋カップモデル１０にリム部１０Ｄ，１０Ｅを設けるものとしたが、これにより患者の骨盤臼蓋の形状との適合性を向上させ、ドリル位置の精度をより高くできる。
【００７７】
さらに上記実施形態では、臼蓋カップモデル１０が略半球状の形状から両側部を切り欠いた形状としたため、施術者が臼蓋カップモデル１０を設置する際に臼蓋内面を視認し易くできる。
【００７８】
また上記実施形態では、カップリムモデル２０の臼蓋カップモデル１０の裁断面径方向の長さを任意に設定可能とし、パラレルガイド３０のガイドピン保持部３２におけるスライド部３２Ｂの調整により対応するものとしたので、術前計画において施術者がガイドピン４１，４２を設置する位置を患者骨盤の形状から任意に選択する自由度を上げて、より精度の高い施術が期待できる。
【００７９】
さらに上記実施形態では、リムモデル２０の下縁の円弧状の下縁端がカップサイズと臼蓋リーマ５０でのリーミングレベル、及びインパクタ６０でのカップ打ち込み量レベルを示す。これにより、リーミング量と方向、あるいはカップ打ち込み量と方向の確認を非常に視認し易い形態で提供できる。
【００８０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００８１】
１０…臼蓋カップモデル、１０Ａ…（大径）貫通孔部、１０Ｂ…（小径）貫通孔部、１０Ｃ…ドック、１０Ｄ，１０Ｅ…リム部、１０Ｆ…溝、２０…カップリムモデル、２０Ａ，２０Ｂ…ガイドピン用貫通孔、２０Ｃ…把持用貫通孔、２０Ｄ…仮止め用貫通孔、３０…パラレルガイド、３１…シャフト部、３１Ａ…回転止め、３１Ｂ…ドリルホルダ部、３２…ガイドピン保持部、３２Ａ…固定部、３２Ｂ…スライド部、３２Ｃ，３２Ｄ…ピンホルダ部、３３…グリップ部、４１，４２…ガイドピン、４３…固定ピン、４６…（自動ストッパ付き）ドリル、５０…臼蓋リーマ、５１…リーマボディ、５２…リーマヘッド、５３…突起アンカー部、５４…インジケータ、５４Ａ，５４Ｂ…くびれ部分、５４Ｃ…窓、５４Ｄ…スライダ、５５…ガイドピンリファレンススコープ、５６…グリップ部、６０…インパクタ、６１…インパクタボディ、６２…ガイドピンリファレンススコープ、６３…グリップ部、７１…臼蓋カップシェル、ＰＶ１１，ＰＶ１２…骨モデル、ＲＭ１１…（臼蓋の）リム部。
【図１】
0005412334.tif 000002
【図２】
0005412334.tif 000003
【図３】
0005412334.tif 000004
【図４】
0005412334.tif 000005
【図５】
0005412334.tif 000006
【図６】
0005412334.tif 000007
【図７】
0005412334.tif 000008
【図８】
0005412334.tif 000009